(57)【要約】【課題】夜間の換気で屋内が冷やされてしまうのを防ぐことができる換気用ソーラー外気処理システムを提供する。【解決手段】外気取入れ口７と屋内吹出し口１１とつなぐ空気経路９，１０にヒートパイプ２を用いた太陽熱集熱器１が設けられ、ファン１４で外気取入れ口７から取り入れられた外気が太陽熱集熱器１で集熱された太陽熱により加温されるようになされており、太陽熱集熱器１と屋内吹出し口１１とつなぐ空気経路１０に潜熱蓄熱部１３が該空気経路１０を通過する空気に対し蓄放熱可能に設けられ、該潜熱蓄熱部１３が前記の加温空気で蓄熱を行うようになされている。また、熱交換換気装置１５が備えられ、潜熱蓄熱部１３と屋内吹出し口１１とをつなぐ空気経路１０に、熱交換換気装置１５の給気系統１６が設けられている。【選択図】      図１
2006284068.tif 000002
【特許請求の範囲】
【請求項１】
外気取入れ口と屋内吹出し口とつなぐ空気経路に太陽熱集熱器が設けられ、ファンにより外気取入れ口から取り入れられた外気が太陽熱集熱器で集熱された太陽熱により加温されるようになされており、かつ、太陽熱集熱器と屋内吹出し口とつなぐ空気経路に潜熱蓄熱部が該空気経路を通過する空気に対して蓄放熱可能に設けられ、該潜熱蓄熱部が前記加温された空気で蓄熱を行うようになされていることを特徴とする換気用ソーラー外気処理システム。
【請求項２】
熱交換換気装置が備えられ、前記潜熱蓄熱部と屋内吹出し口とをつなぐ空気経路に、熱交換換気装置の給気系統が設けられている請求項１に記載の換気用ソーラー外気処理システム。
【発明の詳細な説明】
【技術分野】
【０００１】
本発明は、換気用ソーラー外気処理システムに関する。
【背景技術】
【０００２】
太陽熱集熱器は、太陽が出ている日中は太陽熱を集熱するが、夜間は集熱せず、そのため、太陽熱集熱器を、冬季に、換気ための外気処理に用いる場合には、太陽が出ている日中はぽかぽかで快適であるが、夜間は屋内が冷やされてしまうという問題がある。
【０００３】
また、換気システムとして、排気される屋内の空気と、屋内に取り入れられる外気とを熱交換させることにより、屋内が換気で冷やされてしまうのを防ぐ熱交換換気装置も提供されているが、特に、旭川や帯広などの極寒冷地では、外気温が冬季の夜間に−１０〜−２０°Ｃになることもまれではなく、熱交換換気装置を採用しても、換気をすれば屋内が冷やされてしまうか、暖房費が高いものについてしまうという問題もある。
【発明の開示】
【発明が解決しようとする課題】
【０００４】
本発明は、上記のような問題点に鑑み、夜間の換気で屋内が冷やされてしまうのを防ぐことができる換気用ソーラー外気処理システムを提供することを課題とする。
【課題を解決するための手段】
【０００５】
上記の課題は、外気取入れ口と屋内吹出し口とつなぐ空気経路に太陽熱集熱器が設けられ、ファンにより外気取入れ口から取り入れられた外気が太陽熱集熱器で集熱された太陽熱により加温されるようになされており、かつ、太陽熱集熱器と屋内吹出し口とつなぐ空気経路に潜熱蓄熱部が該空気経路を通過する空気に対して蓄放熱可能に設けられ、該潜熱蓄熱部が前記加温された空気で蓄熱を行うようになされていることを特徴とする換気用ソーラー外気処理システムによって解決される。
【０００６】
このソーラー外気処理システムでは、冬季の太陽の出ている日中は、外気が太陽熱集熱器で加温されて屋内に吹き出し、屋内を暖めながら換気することができると共に、潜熱蓄熱部に太陽熱が蓄熱されていく。そして、夜間は、太陽熱集熱器が太陽熱を集熱できず、外気は、加温されることなく太陽熱集熱器を通過してしまうが、潜熱蓄熱部を通過することによって加温され、夜間の換気で屋内が冷やされてしまうのを防ぐことができる。
【０００７】
上記の換気用ソーラー外気処理システムにおいて、熱交換換気装置が備えられ、前記潜熱蓄熱部と屋内吹出し口とをつなぐ空気経路に、熱交換換気装置の給気系統が設けられているとよい。この場合は、極寒冷地において外気温が冬季の夜間に−１０〜−２０°Ｃになるような場合であっても、外気は、太陽熱を蓄熱した潜熱蓄熱部を通過することによって加温され、その加温された空気が熱交換換気装置の給気系統を通過するので、屋内から排出される空気との熱交換によって、室温により近い温度まで上昇することができ、夜間の換気で屋内が冷やされてしまうのを防ぐことができる。
【発明の効果】
【０００８】
本発明は、以上のとおりのものであるから、夜間の換気で屋内が冷やされてしまうのを防ぐことができる。
【発明を実施するための最良の形態】
【０００９】
次に、本発明の実施最良形態を図面に基づいて説明する。
【００１０】
図１に示す第１実施形態の換気用ソーラー外気処理システムにおいて、１は太陽熱集熱器であり、該太陽熱集熱器１は、ヒートパイプ式のもので、ヒートパイプ２を真空容器３内に設置することにより対流による熱損失を小さくした高効率太陽熱集熱器からなっており、該ヒートパイプ２は、その上端部が、屋外に設置され断熱された熱交換ケース４の内に突出し、同ケース４内に設けられた放熱器６に熱伝導可能に接続されている。そして、ケース４内において、上記の放熱器６は、外気取入れ口７とケース吹出し口８とをつなぐ空気通路９に設置され、外気取入れ口７からケース４内に取り入れられた外気が放熱器６を通過してケース吹出し口８に向かうようになされている。
【００１１】
そして、熱交換ケース４の吹出し口８は、ダクトあるいは空気管１０によって屋内の吹出し口１１に接続されると共に、該空気管１０には、屋内１２側において、潜熱蓄熱部１３が、該空気管１０内に対して蓄放熱可能に介設されている。なお、潜熱蓄熱部１３は、塩化カルシウム水和物等の無機水和塩や、パラフィン等の有機物化合物などからなる潜熱蓄熱材中に、熱交換用の空気管が通されたものなどからなっている。１４はファンである。
【００１２】
上記の換気用ソーラー外気処理システムでは、冬季の太陽の出ている日中は、ヒートパイプ２が太陽熱を集熱して、その熱をケース４内の放熱器６に伝え、ファン１４を駆動していると、外気がケース４の取入れ口７からケース４内に送り込まれ、通路９を通過する過程で放熱器６から太陽熱を受け取って加温され、屋内吹出し口１１を通じて屋内１２に吹し出し、屋内１２を暖めながら換気すると共に、該加温された空気によって潜熱蓄熱部１３に太陽熱が蓄熱されていく。
【００１３】
そして、夜間は、ヒートパイプ２が太陽熱を集熱できず、外気は、加温されることなく放熱器６を通過してしまうが、潜熱蓄熱部１３を通過することによって加温され、夜間の換気で屋内１２が冷やされてしまうのを防ぐことができる。
【００１４】
図２に示す第２実施形態の換気用ソーラー外気処理システムは、熱交換換気装置１５が備えられ、潜熱蓄熱部１３と屋内吹出し口１１とをつなぐ空気管１０に、熱交換換気装置１５の給気系統１６が介設されている。なお、ファンは、熱交換換気装置１５に備えられたものなどが用いられてよい。熱交換換気装置１５において、１７は排気系統、１８は熱交換部である。また、１９は屋内吸込み口、２０は排気口である。その他は、第１実施形態と同様である。
【００１５】
このシステムでは、極寒冷地において、夜間、外気は、太陽熱を蓄熱した潜熱蓄熱部１３を通過することによって加温され、その加温された空気が、熱交換換気装置１５の給気系統１６を通過するので、熱交換換気装置１５の排気系統１７を通過する屋内の排気空気との熱交換によって、室温により近い温度まで上昇することができ、夜間の換気で屋内が冷やされてしまうのを防ぐことができる。
【００１６】
具体的には、外気温が冬季の夜間に−１０〜−２０°Ｃになるような旭川、帯広などにおいて、夜間の外気温が−１０°Ｃで、室温が２０°Ｃであれば、外気を、潜熱蓄熱部１３で０°Ｃにまで加温し、熱交換換気装置１５の給気系統１６を通過させることで１４°Ｃにまで昇温させることを、容易に実現することが可能となる。また、熱交換換気装置１５内のドレン水も少なくすることができるし、屋内吹出し口１１からの結露水落下も防ぐことができる。
【００１７】
以上に、本発明の実施形態を示したが、本発明はこれに限られるものではなく、発明思想を逸脱しない範囲で各種の変更が可能である。例えば、上記の実施形態では、太陽熱集熱器として、ヒートパイプ式のものを用いた場合を示したが、太陽熱集熱板等を用いた集熱器が用いられてもよいし、太陽熱集熱器の種類に制限はない。また、ファンは、第３種換気用の排気ファンからなっていてもよい。また、本発明では、屋内吹出し口は小屋裏などに面して備えられていてもよく、それにより、結露の発生を防ぐことができる。
【図面の簡単な説明】
【００１８】
【図１】第１実施形態の換気用ソーラー外気処理システムの構造を示す説明図である。
【図２】第２実施形態の換気用ソーラー外気処理システムの構造を示す説明図である。
【符号の説明】
【００１９】
１…太陽熱集熱器
２…ヒートパイプ
４…熱交換ケース
６…放熱器
７…外気取入れ口
９…空気通路（空気経路）
１０…空気管（空気経路）
１１…屋内吹出し口
１２…屋内
１３…潜熱蓄熱部
１４…ファン
１５…熱交換換気装置
１６…給気系統
【図１】
2006284068.tif 000003
【図２】
2006284068.tif 000004